(57)【要約】【課題】ネックレス等の輪の大きさを変更可能とすると共に、該ネックレス等に挿通して使用する下げ飾りであるペンダント等の取り付け、取り外しをも容易とすると共に、引輪（クラスプ）の開閉操作をしやすくしてネックレス等の着脱をも容易とした商品を提供する。【解決手段】チェーン２の一端２ａに線材にて形成した連結部４と開閉部６を有して、開閉部６を該線材の弾性にて開閉可能とした接続金具１０を連結すると共に、連結部４に環８を介して引輪（クラスプ）１２に設けた接続部１４と連結すると共に、チェーン２の他端２ｂを、互いに対向する貫通した挿入口１６、１６ａを有し、体内に弾性体１８を配し、体外適宜位置には接続環２０を設けて環８ａを介して引輪連結プレート２２を連結した殻体２６からなるスライド金具２４の挿入口１６より１６ａへ挿通して他端２ｂに環８ｂを介して抜け防止飾りプレート２８を連結してなるものである。【選択図】図１
0003109666.tif 000002
【実用新案登録請求の範囲】
【請求項１】
チェーン２の一端２ａに線材にて形成した連結部４と開閉部６を有して、開閉部６を該線材の弾性にて開閉可能とした接続金具１０を連結すると共に、連結部４に環８を介して引輪（クラスプ）１２に設けた接続部１４と連結すると共に、チェーン２の他端２ｂを、互いに対向する貫通した挿入口１６、１６ａを有し、体内に弾性体１８を配し、体外適宜位置には接続環２０を設けて環８ａを介して引輪連結プレート２２を連結した殻体２６からなるスライド金具２４の挿入口１６より１６ａへ挿通して他端２ｂに環８ｂを介して抜け防止飾りプレート２８を連結してなることを特徴とした装身具。
【考案の詳細な説明】
【技術分野】
【０００１】
本考案は、ネックレス、ブレスレット等の輪の大きさを変更可能とすると共に、該ネックレス等に挿通して使用する下げ飾りであるペンダント等の着脱をも容易にした装身具に関するものである。
【背景技術】
【０００２】
従来、弾性体を有した金具を所望の位置まで移動させてネックレスの輪の大きさを自在に変えることができる機能を有した各種商品が多く提案されている。その中で、装飾チェーンの一端にアジャスター用鎖を、また他端に引輪係止用の止め具を取付けるとともに、丸玉、ミラーボール、パイプ等のデザインパーツ中にシリコンゴムのような弾性体を装入し、さらに前記シリコンゴムのような弾性体に前記アジャスター用鎖の直径より僅かに小径の貫通孔を設け、前記貫通孔に前記アジャスター用鎖を挿通するとともに、前記デザインパーツに止め具係止用の引輪を設けてなる装身具がある（例えば特許文献１参照。）。
【０００３】
また、紐部材の一端側の先端に、尖端状の差し込み片を有するとともに、他端側に穴開きプレートを有する。プレートは、結合部材（引輪）によって、弾性体を有する止め具の紐止めに掛け止められ、紐部材または止め具の少なくとも何れかの一方をａ方向か、またはｂ方向にずらすことによって、紐部材によるリング径を調整することができる止め具及び紐止め装置がある（例えば特許文献２参照。）。
【０００４】
上記の特許文献１、２のいずれも殻体内に弾性体を有した止め具に引輪を連結し、装飾チェーン又は紐部材の一端を止め具に挿通し、他端に該引輪と連結するプレートの代わりとなるアジャスター用鎖又は穴開きプレートを連結してネックレス等の輪を形成させることを特徴としている。
【０００５】
しかし、前記ネックレス等に挿通して使用する下げ飾り装身具であるペンダント等に装飾チェーン又は紐部材を挿通させる場合は、チェーン又は紐部材と連結しているプレートを一旦取り外す必要があり、取り外しは一般消費者には技術的には難しく、取り外さないで挿通させる場合は、プレートを挿通できる大きさの穴径を有するペンダントを用いる必要があり、その場合は見映えの悪い商品となっている。
【０００６】
また、引輪（クラスプ）と、引輪連結プレートを用いてネックレス等の輪を形成し、弾性体を体内に有する金具にて輪の大きさを変更可能とするネックレス等は該金具と引輪（クラスプ）とが近接して連結されているために該金具がじゃまをして引輪（クラスプ）の開閉操作がしづらい問題があった。
【０００７】
【特許文献１】登録実用新案第３０６３８９１号公報
【特許文献２】特許第２９７１４５３号公報
【考案の開示】
【考案が解決しようとする課題】
【０００８】
前記事項を鑑み解決しようとする問題点は、ネックレス、ブレスレット等の輪の大きさを変更可能とすると共に該ネックレス等に挿通して使用する下げ飾りであるペンダント等の取り付け、取り外しをも容易にした商品を提供する。
【０００９】
また、引輪（クラスプ）の開閉操作を容易にして装着者が前記ネックレス等の着脱をも容易とした商品の提供をも目的とする。
【課題を解決するための手段】
【００１０】
本考案は、チェーン２と、接続金具１０と、引輪（クラスプ）１２と、引輪連結プレート２２と、体内に弾性体１８を有するスライド金具２４と、抜け防止飾りプレート２８とからなり、チェーン２の一端２ａに線材にて形成した連結部４と開閉部６を有して、開閉部６を該線材の弾性にて開閉可能とした接続金具１０を連結すると共に、連結部４に環８を介して引輪（クラスプ）１２に設けた接続部１４と連結すると共に、チェーン２の他端２ｂを、互いに対向する貫通した挿入口１６、１６ａを有し、体内に弾性体１８を配し、体外適宜位置には接続環２０を設けて環８ａを介して引輪連結プレート２２を連結した殻体２６からなるスライド金具２４の挿入口１６より１６ａへ挿通して他端２ｂに環８ｂを介して抜け防止飾りプレート２８を連結した後、引輪（クラスプ）１２と引輪連結プレート２２を連結させてネックレス、ブレスレット等の輪を形成させることを要旨とするものである。
【考案の効果】
【００１１】
本考案の装身具は引輪連結プレートを、環を介してスライド金具の体外適宜位置に設けた接続環に連結し、引輪（クラスプ）をチェーンの一端と連結した接続金具と連結することにより、下げ飾りであるペンダント等をチェーンに挿通させてネックレスとして着用する場合は、チェーンの一端と連結した接続金具を該チェーンよりワンタッチにて取り外してペンダント等にチェーンの一端を挿通した後、該チェーンの一端と接続金具をワンタッチにて連結することにより熟練及び時間を要さずペンダント付きネックレスとして使用できる。
【００１２】
また、引輪（クラスプ）をチェーンの一端に連結、引輪連結プレートをスライド金具に連結する構成にて該金具と引輪（クラスプ）とが離れている配置としたことにより、引輪（クラスプ）開閉操作がしづらい問題は解消しネックレス等の着脱が容易となった。
【考案を実施するための最良の形態】
【００１３】
以下、図面を用いて本考案の実施形態を詳細に説明する。図１は、本考案をネックレスに例えて実施形態の要部を、チェーン２を一部切り欠いて示した正面図であり、チェーン２と、接続金具１０と、引輪（クラスプ）１２と、引輪連結プレート２２と、体内に弾性体１８から形成されるリング状弾性体を例えとして有するスライド金具２４と、抜け防止飾りプレート２８と、からなる構成にて、チェーン２の一端２ａに弾性を有する線材にて形成した連結部４と開閉部６を有して、開閉部６を該線材の弾性にて開閉可能とした接続金具１０を連結すると共に、連結部４に環８を介して引輪（クラスプ）１２に設けた接続部１４と連結した。
【００１４】
また、チェーン２の他端２ｂを、互いに対向する貫通した挿入口１６、１６ａを有し、体内に弾性体１８を配し、体外適宜位置には接続環２０を設けて環８ａを介して引輪連結プレート２２を連結した殻体２６からなるスライド金具２４の挿入口１６より１６ａへ挿通した後、他端２ｂに環８ｂを介して抜け防止飾りプレート２８を連結した。そして、引輪（クラスプ）１２と引輪連結プレート２２を連結させてネックレスの輪を形成させた状態を示し、スライド金具２４の移動により輪の大きさを自在に変えることができる。
【００１５】
本考案によれば、スライド金具２４の構成及び弾性体１８から形成されるリング状弾性体は限定するものではなく、例えばプッシュ式タイプのスライド金具２４とした構成により弾性体１８をコイルスプリングとしても良い。
【００１６】
図２は、ペンダント３０にチェーン２を挿通する概念図であり、図１に示したチェーン２の一端２ａを接続金具１０の開閉部６より取り外し、チェーン２の一端２ａをペンダント３０のバチカン３２に挿通した状態を示す。
【００１７】
図３は、従来ネックレスの仕様の要部を、チェーン２を一部切り欠いて示した正面図であり、チェーン２の一端２ａに環８を介して引輪連結プレート２２を連結、そして、チェーン２の他端２ｂを、互いに対向する貫通した挿入口１６、１６ａを有し、体内に弾性体１８を配し、体外適宜位置には接続環２０を設けて環８ａを介して引輪（クラスプ）１２を連結した殻体２６からなるスライド金具２４の挿入口１６より１６ａへ挿通した後、他端２ｂに環８ｂを介して抜け防止飾りプレート２８を連結、そして、引輪（クラスプ）１２と引輪連結プレート２２を連結させてネックレスの輪を形成させると共にスライド金具２４をチェーン２上を移動させることにより輪の大きさを自在に変えられるものである。
【図面の簡単な説明】
【００１８】
【図１】本考案の一実施形態の要部を一部切り欠いて示した正面図である。
【図２】本考案の一実施形態を一部切り欠いて示した概念図である。
【図３】従来のネックレスの仕様を一部切り欠いて示した正面図である。
【符号の説明】
【００１９】
２    チェーン
４    連結部
６    開閉部
８    環
１０    接続金具
１２    引輪（クラスプ）
１４    接続部
１６    挿入口
１８    弾性体
２０    接続環
２２    引輪連結プレート
２４    スライド金具
２６    殻体
２８    抜け防止飾りプレート
３０    ペンダント
３２    バチカン
【図１】
0003109666.tif 000003
【図２】
0003109666.tif 000004
【図３】
0003109666.tif 000005